(57)【要約】【課題】  意図しない要求元からの印刷要求に基づく印刷コンテンツの印刷を防止すること。【解決手段】  端末７０１のユーザが印刷ジョブを登録すると、当該ユーザのアカウント情報を含む表紙をプリンタ７０４で印刷する。プリンタ７０４のユーザはこれに基づき当該アカウント情報からの印刷の許否をプリンタ７０４のスキャナ装置または入力装置を用いて指定する。この指定結果に基づきプリンタ管理サーバ７０３またはプリンタ７０４は当該アカウント情報からの印刷コンテンツの印刷を行うか行わないかを決定する。【選択図】  図７
2014059630.tif 000002
【特許請求の範囲】
【請求項１】
印刷コンテンツの印刷要求を行った要求元を特定するための情報を受信する受信手段と、
前記受信手段で受信した情報に基づき前記要求元をユーザに通知する通知手段と、
前記通知手段で通知された前記要求元からの印刷要求に基づく印刷の許否を指定する指定手段と、
前記指定手段による指定に基づき前記要求元からの印刷要求に基づく印刷を行うか否か決定する決定手段とを有することを特徴とする印刷制御装置。
【請求項２】
前記通知手段は、前記受信手段で受信した情報を被記録媒体上に印刷することにより前記要求元をユーザに通知することを特徴とする請求項１に記載の印刷制御装置。
【請求項３】
前記指定手段は、前記通知手段で通知された前記要求元を特定するための情報を印刷した被記録媒体を読取装置により読み取らせることにより前記要求元からの印刷要求に基づく印刷の許否を指定することを特徴とする請求項２に記載の印刷制御装置。
【請求項４】
前記指定手段は、ユーザにより前記要求元を示す情報が入力された場合に当該要求元からの印刷の許否を指定することを特徴とする請求項１〜３のいずれか１項に記載の印刷制御装置。
【請求項５】
前記決定手段は、前記指定手段により前記要求元からの印刷要求に基づく印刷を拒否するよう指定された場合、当該要求元からの印刷要求に基づく印刷を行わないことを決定することを特徴とする請求項１〜４のいずれか１項に記載の印刷制御装置。
【請求項６】
前記決定手段は、前記指定手段により前記要求元からの印刷要求に基づく印刷を許可するよう指定された場合、当該要求元からの印刷要求に基づく印刷は行い、当該要求元以外の要求元からの印刷要求に基づく印刷は行わないことを決定することを特徴とする請求項１〜５のいずれか１項に記載の印刷制御装置。
【請求項７】
印刷コンテンツの印刷要求を行った要求元を特定するための情報を受信し、
前記受信した情報に基づき前記要求元をユーザに通知し、
前記通知された前記要求元からの印刷要求に基づく印刷の許否を指定し、
前記指定に基づき前記要求元からの印刷要求に基づく印刷を行うか否か決定することを特徴とする印刷制御方法。
【請求項８】
請求項１〜６のいずれか１項に記載の印刷制御装置の各手段、または請求項７に記載の印刷制御方法をコンピュータにより実現することを特徴とするプログラム。
【発明の詳細な説明】
【技術分野】
【０００１】
本発明は、印刷コンテンツを印刷させる印刷制御装置、印刷制御方法およびプログラムに関する。
【背景技術】
【０００２】
従来、印刷ジョブの発行元となるユーザに対して利用を許可するプリンタを登録しておき、当該ユーザがそのプリンタを指定して印刷を実行させるものが知られている（特許文献１参照）。特許文献１では、プリンタに対しアクセス可能なユーザのユーザ名を登録しておき、ユーザは端末に表示させた自身が利用可能なプリンタ一覧から所望のプリンタを選択し、そのプリンタで印刷を実行させる。
【先行技術文献】
【特許文献】
【０００３】
【特許文献１】特開２０１２−１３３７２８号公報
【発明の概要】
【発明が解決しようとする課題】
【０００４】
上記のようにユーザ毎に利用可能なプリンタを登録しておいた場合、その登録を解除しない限り、ユーザはそのプリンタを利用し続けることが可能である。従って、例えばプリンタの所有者や管理者が変更になったり、プリンタの設置場所が変更されたりした場合であっても、ユーザは当該プリンタを誤って選択してしまうことがある。またプリンタ側から見ると、不要な印刷のためにインクやトナーなどの記録材、用紙などの被記録媒体が使用されることになりそれらが無駄となってしまう。また、印刷が行われた被記録媒体の画像を見ても誰が印刷指示を行ったものであるかが分からず、同じ送信元からの印刷ジョブの印刷を繰り返し行わせてしまうことになってしまう。
【０００５】
本発明は以上の課題に鑑みなされたものであり、意図しない要求元からの印刷要求に基づく印刷コンテンツの印刷を防止することが可能な印刷制御装置、方法及びプログラムを提供することを目的とする。
【課題を解決するための手段】
【０００６】
上記課題を解決するため本発明の印刷制御装置は、印刷コンテンツの印刷要求を行った要求元を特定するための情報を受信する受信手段と、前記受信手段で受信した情報に基づき前記要求元をユーザに通知する通知手段と、前記通知手段で通知された前記要求元からの印刷要求に基づく印刷の許否を指定する指定手段と、前記指定手段による指定に基づき前記要求元からの印刷要求に基づく印刷を行うか否か決定する決定手段とを有する。
【発明の効果】
【０００７】
本発明によれば、印刷コンテンツの印刷要求を行った要求元をユーザに通知し、その結果に基づく指定に従って印刷を行わせるか否か決定するので、意図しない要求元からの印刷要求に基づく印刷コンテンツの印刷を防止することができる。
【図面の簡単な説明】
【０００８】
【図１】実施形態におけるプリンタの構成を示すブロック図である。
【図２】ネットワークシステムの構成を示す図である。
【図３】実施形態におけるネットワークシステムの構成を示す図である。
【図４】印刷される表紙の例を示す図である。
【図５】印刷を拒否するアカウント情報の入力の画面の例を示す図である。
【図６】印刷ジョブを処理する際の処理の流れを示す図である。
【図７】印刷ジョブを処理する際の処理の流れを示す図である。
【図８】印刷拒否設定の処理の流れを示す図である。
【図９】印刷を拒否する際の処理の流れを示す図である。
【発明を実施するための形態】
【０００９】
以下、添付図面を参照して本発明の実施形態の一例を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１０】
図１は、本発明の実施形態における印刷制御装置の一例であるプリンタの構成を示すブロック図である。本実施形態では、プリンタとして、画像読取機能を含むＭＦＰ（マルチファンクションプリンタ）を例に説明する。
【００１１】
スキャナ装置１０１はセットされた原稿上の画像を読み取り、該画像を示す画像データを生成する。プリンタ装置１０２は入力された画像データに基づき用紙等の被記録媒体上にインクやトナーなどの記録材を付与して画像を印刷する。入力装置１０３はプリンタに指示を与えるためのユーザからの種々の操作を受け付ける。表示装置１０４はユーザに提供すべき種々の情報を表示する。なお、入力装置１０３と表示装置１０４とを一体化させたタッチパネル等としてもよい。
【００１２】
外部Ｉ／Ｆ１０６は本プリンタをネットワークや外部装置等に接続するためのインタフェースである。記憶装置１０７は画像データや本プリンタの動作に必要な情報などを記憶したり、ＣＰＵ１０９のワークエリアとして利用したりする。ＲＯＭ１０８はＣＰＵ１０９が本プリンタの制御に必要なプログラムなどを記憶する。ＣＰＵ１０９は本プリンタ全体の動作を制御する。以上の各構成要素は内部Ｂｕｓ１０５を介して接続され、内部Ｂｕｓ１０５を介して通信可能である。
【００１３】
図２は、図１に示したプリンタを接続したネットワークシステムの例を示す図である。
【００１４】
２０１は図１に示したプリンタである。プリンタ２０１は外部Ｉ／Ｆ１０６を介してネットワーク２０３に接続される。ネットワーク２０３への接続は有線経由であっても無線経由であっても構わない。
【００１５】
ユーザ２０２は携帯端末やＰＣ（パーソナルコンピュータ）などの端末を利用して、自身、あるいは自身が利用する端末と関連付けられたプリンタの情報を、ネットワーク２０３を介して取得する。そして、ユーザはその中からプリンタ２０１を選択して印刷ジョブの実行要求をネットワーク２０３経由で行う。すると、印刷リクエストがプリンタ２０１に送られ、プリンタ２０１はユーザ２０２が発行した印刷ジョブの印刷データを受信し、受信した印刷データに基づく画像の印刷を実行する。
【００１６】
図３は、図２においてネットワーク２０３内で行われる処理の詳細の一例を説明するためのネットワークシステムを示す図である。図３において、プリンタ３０１、ユーザ３０２はそれぞれ図２におけるプリンタ２０１、ユーザ２０２にそれぞれ対応する。
【００１７】
ポータルサーバ３０３はユーザに提供するサービスを管理する。ポータルサーバ３０３はユーザを特定するためのアカウント情報、そしてアカウント情報に対応付けて提供可能なサービス、利用可能なプリンタなどをアカウント情報毎に管理する。アカウント情報は、ユーザ名、ユーザＩＤ、ユーザが使用する端末の端末名、ユーザのメールアドレスなどを用いることが可能である。また、ポータルサーバ３０３はウェブサーバ機能を有し、自身が管理している情報、提供可能なサービスをユーザが汎用的なウェブブラウザを用いて利用させることができる。ユーザ３０２は端末にインストールされた汎用的なブラウザを用いて自身のアカウントによるログインを行い、自身が利用可能なサービスを利用する。ユーザ３０２が端末を用いてプリンタ３０１を用いた印刷ジョブの要求を行うと、ポータルサーバ３０３はプリンタ３０１による印刷要求３０５を発行する。印刷要求３０５には、印刷ジョブの発行元であるアカウント情報、印刷コンテンツの存在場所（印刷コンテンツが格納されている場所を示すＵＲＬ）、印刷要求先のプリンタ名などの情報が含まれる。また、ポータルサーバ３０３は印刷対象の印刷コンテンツ（印刷データ）の保存も行う。
【００１８】
プリンタ管理サーバ３０４はプリンタ３０１を含む複数のプリンタを管理する。プリンタ管理サーバ３０４はポータルサーバ３０３からプリンタ３０１による印刷要求３０５を受け取ると、プリンタ３０１に対して印刷対象の印刷コンテンツの存在場所を示す情報を付随した印刷リクエスト３０７を送信する。このとき、プリンタ管理サーバ３０４は送信先のプリンタが印刷要求３０５に含まれるアカウント情報のユーザが利用可能なプリンタであるかを確認し、その確認がとれた場合に印刷リクエスト３０７を送信する。また、プリンタ３０１が印刷リクエスト３０７を受け付けられる状態であるか否かも確認し、受け付け可能な状態であることが確認できた場合に印刷リクエスト３０７を送信する。また、プリンタ管理サーバ３０４はプリンタ３０１と関連付けられており、ポータルサーバ３０３はプリンタ３０１が指定されると、それに関連付けられたプリンタ管理サーバ３０４を特定し、印刷リクエストを特定されたプリンタ管理サーバ３０４に送信する。プリンタ管理サーバ３０４は印刷要求を行ったユーザのアカウントを特定し、それに応じて印刷の可否を制御可能な印刷制御装置として機能する。
【００１９】
プリンタ３０１は印刷リクエスト３０７を受け取ると、それに付随していた印刷コンテンツの存在場所を示す情報に従ってポータルサーバ３０３から印刷コンテンツを取得し（３０６）、それを被記録媒体上に印刷する。ただし、プリンタ３０１は印刷リクエスト３０７を受信したときに、自動で印刷コンテンツの画像を印刷するのではなく、まず印刷ジョブの発行者であるユーザを特定する情報を印刷する。そしてその後、プリンタ３０１のユーザによりこの印刷コンテンツの印刷を許可する操作があった場合に印刷するようにしてもよい。
【００２０】
なお、図３に示したシステムは一例であり、プリンタ管理サーバ３０４を設けずに、プリンタ３０１がポータルサーバ３０３から印刷リクエストを取得するようにしてもよい。また、プリンタ管理サーバ３０４がポータルサーバ３０３から印刷コンテンツを取得し、プリンタ３０１が印刷リクエストに従ってプリンタ管理サーバ３０４から印刷コンテンツを取得して印刷してもよい。
【００２１】
図４は、図１に示したプリンタがアカウント情報に対応したユーザからの要求に応じて印刷ジョブの実行（印刷コンテンツの印刷）に先立って、印刷ジョブの印刷要求元（アカウント情報等）を特定するための表紙の例を示す図である。図１に示したプリンタはこの表紙を印刷させる表紙印刷モードがセットされている場合に表紙を印刷する。この表紙はプリンタにおいて表紙印刷モードが解除されている場合や印刷コンテンツの印刷を拒否しないことが登録されている送信元（要求元）からの印刷リクエストである場合に印刷されない。なお、表紙印刷モードの実行の可否をプリンタ管理サーバで管理するようにしてもよい。また、プリンタ管理サーバがプリンタに問合せてプリンタにおいて表紙印刷モードがセットされているかどうか確認し、その結果に従ってプリンタに表紙を印刷させるか否かを決定してもよい。
【００２２】
図４において、表紙４０１は印刷要求元であるアカウント情報をＱＲコード（登録商標）化した記号４０２と、このアカウント情報を文字列として記載した文字列４０３とを含む。プリンタのユーザはこれらが印刷された表紙４０１に従い、印刷コンテンツの印刷を拒否すべきかどうかを判断する。印刷コンテンツの印刷を拒否すべきと判断したとき、ユーザは入力装置１０３で表紙に記載されたアカウント情報を入力するか、スキャナ装置１０１で記号４０２を読み取らせることによってアカウント情報を入力する。これにより印刷コンテンツの印刷を拒否することができる。このアカウント情報は印刷コンテンツの印刷を拒否するアカウントとして記憶装置１０７に登録される。一方、印刷コンテンツの印刷を許可する場合は、印刷を許可するアカウント情報として入力装置１０３またはスキャナ装置１０１（記号４０２の読み取り）から当該アカウント情報を入力し、印刷コンテンツの印刷を実行させる。このアカウント情報は印刷コンテンツの印刷を許可するアカウントとして記憶装置１０７に登録される。
【００２３】
なお、印刷コンテンツの印刷を許可する場合、アカウント情報の入力を行わず、表紙４０１の印刷後、所定時間が経過しても上記のように拒否するアカウント情報の入力がなかった場合に自動で印刷コンテンツの印刷を行わせるようにしてもよい。また、表紙４０１の印刷後、一度印刷コンテンツの印刷の許可または拒否の登録が行われたアカウント情報については次回からは表紙４０１の印刷を行わずに印刷コンテンツの取得及び印刷を自動的に行うようにしてもよい。また、印刷コンテンツの印刷の許可または拒否の登録がないアカウント情報である印刷要求元からの印刷ジョブの登録があった場合、表紙４０１とともに印刷コンテンツの印刷を行ってもよい。この場合、印刷された表紙４０１に基づき上記のように当該アカウント情報からの印刷コンテンツの印刷を許可するか拒否するかを登録し、次回の印刷ジョブからその登録に従うようにしてもよい。
【００２４】
また、図４では、表紙４０１に記号４０２と文字列４０３とを記載するものとしたが、いずれか一方としてもよい。また記号４０２もＱＲコード（登録商標）でなくてもよいし、文字列４０３の記載の仕方も図４に示したものには限らない。また、印刷コンテンツの概要がユーザに分かるように、表紙４０１に印刷コンテンツの一部や縮小画像などを載せてもよい。
【００２５】
以上のように表紙４０１を読み取らせることにより特定されるアカウントからの印刷要求に基づく印刷の許否を指定可能である。
【００２６】
図５は、印刷コンテンツの印刷を拒否する印刷要求元のアカウント情報を入力するため画面の例を示す図である。
【００２７】
ユーザは入力装置１０３を操作して表示装置１０４に印刷コンテンツの印刷を拒否するアカウントの情報を登録するための画面５０１を表示させる。そして、入力装置１０３を用いてアカウント情報入力欄５０２に印刷コンテンツの印刷を拒否したいアカウントの情報を入力する。これによって記憶装置１０７の受信＆印刷拒否リスト内にここで入力されたアカウント情報が登録され、この情報がプリンタ管理サーバ３０４に通知される。以降、プリンタ管理サーバ３０４はこのアカウント情報からの印刷ジョブによる印刷コンテンツをプリンタ３０１に送信しない。従ってプリンタ３０１は印刷コンテンツを受信しないので、当該印刷コンテンツの印刷は行わない。
【００２８】
なお、印刷を拒否するアカウントの情報の入力も同様に受信＆印刷を許可するアカウントの入力を行わせる画面を表示装置１０４に表示させ、入力装置１０３を用いて入力させるようにする。ただし、印刷コンテンツの印刷を拒否するアカウントの情報のみ、あるいは許可するアカウントの情報のみを登録し、他方は登録しないようにしてもよい。即ち、印刷を拒否するアカウントの情報のみを登録する場合は、登録されていないアカウントは印刷を許可し、逆に印刷を許可するアカウントの情報のみを登録する場合は、登録されていないアカウントは印刷を拒否するようにすればよい。これにより登録されているアカウント以外からの印刷コンテンツの印刷を拒否できる。
【００２９】
また、このアカウントの情報の登録に際し、上記したような表紙４０１を印刷させるのに代え、次のようにしてもよい。即ち、印刷ジョブの受信があった場合に当該印刷ジョブのアカウント情報を表示装置１０４に表示させ、そのアカウント情報からの印刷を許可するか拒否するかを登録するようにしてもよい。また、受信した複数の印刷ジョブの複数のアカウント情報を記憶装置１０７に記憶しておき、後から印刷を許可するか拒否するかを登録するようにしてもよい。即ち、ユーザが入力装置１０３を用いて記憶装置１０７に記憶されている複数のアカウント情報を呼び出して表示装置１０４に表示させ、それぞれ印刷を許可するか拒否するかを登録するようにしてもよい。
【００３０】
以上のように入力装置１０３からの入力により特定されるアカウントからの印刷要求に基づく印刷の許否を指定可能である。
【００３１】
次に、以上の構成により印刷ジョブを処理する際の処理の流れについて説明する。図６は、図４に示した表紙４０１を印刷しない場合の印刷ジョブを印刷する際の処理の流れを示す図である。これは図３に示したシステムにおける印刷ジョブの処理の流れを示す。なお、表紙４０１を印刷しない場合とは、プリンタ管理サーバ、あるいはプリンタにおいて表紙印刷モードが解除されている場合や印刷コンテンツの印刷を拒否しないことが登録されている送信元（要求元）からの印刷リクエストである場合などがある。
【００３２】
印刷ジョブは印刷要求元であるユーザが使用する端末６０１の記憶装置に記憶されているプログラムに従って端末６０１のＣＰＵにより作成される。６０２は図３に示したポータルサーバ３０３に対応し、ポータルサーバ３０３の記憶装置に記憶されているプログラムに従ってポータルサーバ３０３のＣＰＵの制御によって図６に示す処理を実行する。６０３は図３に示したプリンタ管理サーバ３０４に対応し、プリンタ管理サーバ３０４の記憶装置に記憶されているプログラムに従ってプリンタ管理サーバ３０４のＣＰＵの制御によって図６に示す処理を実行する。６０４は図１に示したプリンタ（プリンタ３０１）であり、ＲＯＭ１０８または記憶装置１０７に記憶されているプログラムに従って図６に示す処理を実行する。
【００３３】
端末６０１のユーザは、端末６０１にインストールされているブラウザを用いて自身のアカウント情報によりポータルサーバ６０２にログインする。そして端末６０１で作成した印刷対象のデータまたはポータルサーバ６０２によって管理されているデータを印刷対象として指定し、さらに印刷を行うためのプリンタを指定し、印刷ジョブを登録する（６０５）。
【００３４】
印刷ジョブが登録されるとポータルサーバ６０２は印刷対象のデータを所定のフォーマットに変換することによって印刷コンテンツを作成する。そして、作成された印刷コンテンツを、印刷要求元であるユーザのアカウント情報及び使用すべきプリンタを示す情報と対応付けてポータルサーバ６０２の記憶装置の所定の格納場所において管理する（６０６）。次に、ポータルサーバ６０２はこの印刷コンテンツの印刷リクエスト（印刷要求元のアカウント情報を含む）と印刷コンテンツの格納場所を示す情報とを、指定されたプリンタ６０４と関連付けられたプリンタ管理サーバ６０３に通知する（６０７）。
【００３５】
印刷リクエストを受け取ったプリンタ管理サーバ６０３ではこの印刷リクエストに含まれるアカウント情報のユーザがここで指定されているプリンタ６０４を使用する権限を持っているかどうか、またプリンタ６０４が印刷可能状態であるか確認する。また、さらに印刷リクエストに含まれるアカウント情報のユーザからの印刷を拒否するよう登録されていないことを確認する。そしていずれも確認できた場合、プリンタ６０４に対し、印刷リクエスト及び印刷コンテンツの格納場所（プリンタに印刷データを取得させる場所）を示す情報をプリンタ６０４に通知する（６０８）。
【００３６】
プリンタ管理サーバ６０３からの印刷リクエストを受け取ったプリンタ６０４は当該印刷リクエストによる印刷が可能な状態となった時に、印刷リクエストに付随していた格納場所を示す情報に従い、ポータルサーバ６０２から印刷コンテンツを取得する（６０９）。そして、取得された印刷コンテンツに従い、被記録媒体上に画像を印刷する。印刷が正常に終了するとプリンタ６０４は印刷ジョブを特定する情報（アカウント情報、プリンタ６０４を示す情報も含む）とともに印刷終了通知をプリンタ管理サーバ６０３に送信する。この印刷終了通知を受け取ったプリンタ管理サーバ６０３は印刷ジョブを特定する情報（アカウント情報、プリンタ６０４を示す情報を含む）とともに印刷終了通知をポータルサーバ６０２に送信する。これを受け取ったポータルサーバ６０２は受け取った情報をアカウント情報と関連付けて日時の情報とともに記憶しておく。これによりユーザは自身のアカウントでログインしたときに印刷結果の情報を参照できる。なお、印刷が正常に終了せずにエラー終了した場合は、その旨の情報が６１１、６１２で通知される。
【００３７】
次に表紙４０１を印刷する場合の印刷ジョブを印刷する際の処理の流れについて説明する。図７は表紙４０１を印刷するための処理を含む印刷ジョブの処理の流れを示す図である。図７において、７０１〜７１２は図６の６０１〜６１２と同様であり、ここでの説明は省略する。ただし、表紙の印刷正常終了通知７１７の後の７０８における印刷リクエスト及びプリンタが印刷データを取得するための場所を示す情報の通知、即ちプリンタ７０４からのこれらの情報の要求は次の条件を満たした場合に行われる。その条件は、印刷コンテンツの印刷を許可することが登録されている、または表紙４０１の印刷後、所定時間経過後に印刷コンテンツの印刷を拒否することが登録されなかった場合などである。
【００３８】
以下、表紙４０１の印刷する際の処理７１３〜７１７について説明する。プリンタ管理サーバ７０３は７０７においてポータル７０２を介して印刷リクエスト及び印刷データの格納場所を示す情報を受け取ると、印刷ジョブの送信元（要求元）のアカウント情報を含む印刷リクエストＩＤを特定する。そして、その印刷リクエストＩＤを示すＱＲコード（登録商標）４０２を作成する（７１３）。そしてＱＲコード（登録商標）４０２、印刷リクエストＩＤ４０３などを含む表紙４０１を示す印刷データを作成する（７１４）。続いてプリンタ管理サーバ７０３は作成した印刷データに基づく表紙４０１の印刷要求を、送信元に指定されたプリンタ７０４に対して送信する（７１５）。
【００３９】
表紙４０１の印刷データを含む印刷要求を受け取ったプリンタ７０４は用紙等の被記録媒体上にインクやトナーなどの記録材を付与することにより表紙４０１の画像を印刷する（７１６）。そしてプリンタ７０４は表紙４０１の印刷が正常に終了した場合は正常終了通知を、異常終了した場合は異常終了通知をプリンタ管理サーバ７０３に送信する（７１７）。続いてプリンタ７０４は表紙の印刷の正常終了通知を行った後、上記条件を満たした場合にプリンタ管理サーバ７０３に対して表紙４０１に示されている印刷リクエストＩＤに対応した印刷リクエストと印刷データ取得場所を要求し、それを受信する（７０８）。なお、この印刷リクエストと印刷データ取得場所は、プリンタ管理サーバ７０３が上記条件を満たしていることを判断したときにプリンタ７０４に通知するようにしてもよい。
【００４０】
なお、７１３〜７１７の処理はプリンタ管理サーバ７０３、あるいはプリンタ７０４において表紙印刷モードがセットされており、印刷コンテンツの印刷の可否に関する情報が登録されていない送信元からの印刷リクエストである場合に実行される。
【００４１】
次に表紙４０１を印刷した後の印刷拒否設定の処理の流れについて図８を用いて説明する。ここでも図６、７と同様に図３に示したシステム構成による処理の流れについて述べる。
【００４２】
まず、ユーザは入力装置１０３から図５の画面によって印刷を拒否したい送信元（要求元）のアカウント情報を入力する。あるいは印刷を拒否したい送信元からの印刷リクエストＩＤを含む表紙４０１をスキャナ装置１０１によって読み取らせる（８０１）。これによりプリンタ８０２のＣＰＵ１０９は印刷を拒否したい送信元のアカウント情報を認識し、当該アカウント情報を印刷コンテンツの印刷を拒否するユーザとして記憶装置１０７などに記憶する（８０６）。そしてプリンタ８０２は８０１で入力されたアカウント情報をプリンタ管理サーバ８０３に通知する（８０７）。
【００４３】
プリンタ８０２から印刷を拒否したい送信元のアカウント情報の通知を受けたプリンタ管理サーバ８０３は、自身が管理するメモリ内のアカウントリスト内に通知されたアカウント情報が含まれるか検索する（８０８）。このアカウントリストとは、プリンタ管理サーバ８０３を経由してプリンタに印刷コンテンツを提供して印刷を実行させることができるアカウント情報を示すものである。そしてこの検索の結果、８０９において当該アカウント情報が存在すると判断されれば、当該アカウント情報を、プリンタ８０２が印刷コンテンツの受信及び印刷を拒否するアカウント情報としてメモリ内の受信拒否リストに登録する（８１０）。一方アカウント情報がアカウントリストに含まれていないと判断された場合、プリンタ管理サーバ８０３はその旨をプリンタ８０２に通知する。この通知を受けたプリンタ８０２は表示装置１０４にその旨を表示するなどしてユーザに拒否アカウント情報の登録ができない旨を通知する。
【００４４】
なお、プリンタ８０２による印刷コンテンツの受信及び印刷を許可する送信元のアカウント情報を登録する場合も図８に示した手順で同様に処理することができる。
【００４５】
また、プリンタ８０２のユーザが図５の画面で入力装置１０３を用いて既に登録されているアカウント情報を削除する操作を行った場合、それをプリンタ管理サーバ８０３に通知する。この通知を受けたプリンタ管理サーバ８０３は登録されている受信及び印刷拒否（または許可）アカウントをリストから削除する。なお、ここではポータルサーバ８０４に印刷を拒否するアカウント情報を通知しないものとしたが、これを通知してポータルサーバ８０４経由で当該アカウント情報のユーザに印刷が拒否されていることを通知してもよい。
【００４６】
次に以上のようにして登録された印刷コンテンツの受信及び印刷を拒否するアカウント（または受信及び印刷を許可することが登録されたアカウント以外）からの印刷コンテンツの印刷を行わないようにする処理の流れについて説明する。図９はこの処理の流れを示す図である。ここでも図６、７と同様に図３に示したシステム構成による処理の流れについて述べる。
【００４７】
図９において、９０１〜９０７は図６の６０１〜６０７と同様であり、ここでの説明は省略する。９０７で印刷リクエストの通知を受けたプリンタ管理サーバ９０３は、自身が管理するメモリ内の受信拒否リストを照会し、当該印刷リクエストに係るアカウント情報が存在するかどうか判断する（９０９）。アカウント情報が存在すると判断された場合は当該アカウント情報からの印刷リクエストに基づく印刷を拒否することを決定する。そして９０７で受け取った印刷リクエスト及び印刷データの格納先の情報を破棄し（９１０）、印刷終了通知をポータルサーバ９０２に対して行う。これにより、不要な印刷コンテンツの印刷を抑制するとともに、ポータルサーバ９０２が印刷リクエストの再送処理を行ったり送信元ユーザが印刷ジョブの再登録を行ったりしなくなり効率的である。一方、アカウント情報が存在しないと判断された場合は当該アカウント情報からの印刷リクエストに基づく印刷を許可ことを決定する。そして９１２に進み、図６の６０８〜６１２または図７の７１３〜７１７、７０８〜７１２のように通常の印刷処理を行う。
【００４８】
以上のようにして印刷コンテンツの印刷を拒否したい送信元からの印刷を行わないようにすることができる。このとき、ポータルサーバやプリンタ管理サーバを直接操作するのではなく、プリンタにおける操作とするので容易に行える。
【００４９】
なお、以上の例ではプリンタ管理サーバ９０３において印刷の許否を判断して拒否するものとしたが、この判断をプリンタ９０４において行うようにしてもよい。この場合はプリンタ９０４のＣＰＵ１０９が記憶装置１０７に記憶されている受信＆印刷拒否リストを照会して印刷の許否を判断して印刷コンテンツの受信や印刷を拒否する。
【００５０】
また、プリンタ管理サーバで印刷の許否を判断する場合、上記の例では印刷コンテンツの取得を行わないものとしたが、印刷コンテンツを取得した後に、保持されている印刷コンテンツの中から印刷を拒否するアカウントからのものを検索して削除してもよい。
【００５１】
また、図４に示したような印刷コンテンツとは別に表紙を印刷するものに代え、印刷コンテンツを印刷した印刷物内（ページの端部、裏面など）にアカウント情報を特定可能な情報を印刷させてもよい。
【００５２】
また以上の説明では印刷制御装置としてスキャナ機能を備えたプリンタを例に説明したが、スキャナ機能を有さないプリンタであっても構わない。この場合、印刷コンテンツの受信及び印刷を拒否するアカウントを特定する情報は入力装置１０３からの入力されることになる。また、印刷制御装置としてはプリンタ、プリンタ管理サーバの他、自身が印刷機能を有さず、プリンタとプリンタ管理サーバとの間に接続されるインタフェース装置によっても同様の処理を行うことができる。
【００５３】
また、プリンタ管理サーバにおいて指定されたアカウント情報からの印刷コンテンツの印刷を拒否する場合、プリンタ管理サーバが管理する複数のプリンタによる印刷を拒否してもよいし、指定されたプリンタによる印刷のみを拒否してもよい。
【００５４】
また以上の説明では印刷制御装置における印刷コンテンツの受信を拒否することによって結果として印刷を拒否するものとしたが、受信は行うが、その印刷を拒否するものとしてもよい。
【００５５】
また、本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【図１】
2014059630.tif 000003
【図２】
2014059630.tif 000004
【図３】
2014059630.tif 000005
【図４】
2014059630.tif 000006
【図５】
2014059630.tif 000007
【図６】
2014059630.tif 000008
【図７】
2014059630.tif 000009
【図８】
2014059630.tif 000010
【図９】
2014059630.tif 000011